(57)【要約】【課題】本発明は、形成される所定の識別管理符号を認識してマッチングを行う照合システムに関し、照合対象物の意匠を損なわずに識別管理符号を形成して当該識別管理符号によるマッチングを低コストで可能とさせることを目的とする。【解決手段】帳票１２の照合対象物に対応のＩＤ３４をレーザ光によるハーフカットで目視困難に形成し、当該ＩＤ３４に照明部１４Ａにより通常波長の撮像光を照射して撮像カメラ１３で撮像することで得た撮像データより印刷情報３２，３３およびＩＤ３４を照合処理手段１５において認識し、対応の印刷情報を、認識したＩＤ３４に基づき顧客ＤＢ１６より読み出して当該撮像データより認識した印刷情報３２，３３と比較照合する構成とする。【選択図】　図１
2004114567.tif 000002
【特許請求の範囲】
【請求項１】
個別毎に異なる印刷情報および関連する個別対象毎の識別管理符号のデータが格納されている格納手段と、
前記格納手段のデータに基づいて、個別毎の印刷情報が印刷されると共に、対応の識別管理符号がレーザ光によるハーフカットで目視困難に形成される被印刷体と、
前記被印刷体の少なくとも識別管理符号が形成されている部分に、当該識別管理符号を撮像可能とする通常波長の撮像光を照射して撮像する撮像手段と、
前記撮像手段により撮像された撮像データより、前記印刷情報および識別管理符号を認識し、当該識別管理符号に基づいて前記格納手段より対応の印刷情報データを読み出して上記認識した印刷情報と比較照合する照合処理手段と、
を有することを特徴とする照合システム。
【請求項２】
個別毎に対応する識別管理符号がレーザ光によるハーフカットで目視困難に形成される複数の被丁合体と、
前記被丁合体の識別管理符号が形成されている部分に、当該識別管理符号を撮像可能とする通常波長の撮像光を照射して撮像する撮像手段と、
対象の前記被丁合体のそれぞれに対して前記撮像手段により撮像された撮像データに基づきそれぞれの識別管理符号を認識し、丁合対象か否かを比較照合する照合処理手段と、
を有することを特徴とする照合システム。
【請求項３】
請求項１または２記載の照合システムであって、前記撮像手段による少なくとも前記識別管理符号の撮像は、前記照射する撮像光の透過量、または撮像光で生じる陰影により行うことを特徴とする照合システム。
【発明の詳細な説明】
【０００１】
【発明の属する技術分野】
本発明は、形成される所定の識別管理符号を認識してマッチングを行う照合システムに関する。
【０００２】
【従来の技術】
従来、例えば帳票の作製においては顧客毎に印刷情報の異なる帳票を一連の印刷工程で行うようになってきている。その際、対象顧客と印刷情報とのマッチングを図るために当該帳票上の所定位置にバーコードや管理番号等の識別管理符号を印刷し、当該印刷された識別管理符号と情報とを読み取り、顧客名と印刷情報とが関連付けられたデータベース（ＤＢ）より対象のものを読み出して比較照合することが一般的に行われている。また、複数の帳票を顧客毎に綴じ合わせたり、まとめ折りしたりすることで丁合する場合にも、丁合対象のマッチングを図るためにそれぞれの帳票に識別管理符号を予め印刷しておくことも行われている。
【０００３】
一方、上記識別管理符号は、顧客にとっては本来不要なもので、帳票作製時や丁合時のみ必要なものである。そこで、このような識別管理符号を、不可視であり、所定波長の励起光を照射すると目視可能となるいわゆるステルスインキで印刷する技術が、以下の特許文献等で知られている。
【０００４】
【特許文献１】
特開２００１−１８８７０号公報
【０００５】
【発明が解決しようとする課題】
しかしながら、上記ステルスインキによる印刷手段が高価であると共に、当該ステルスインキは消耗品であってインキ自体も高価であることから、ランニングコストの高騰を招き、結局は製品が高価にならざるを得ないという問題がある。
【０００６】
そこで、本発明は上記課題に鑑みなされたもので、照合対象物の意匠を損なわずに識別管理符号を形成して当該識別管理符号によるマッチングを低コストで可能とさせる照合システムを提供することを目的とする。
【０００７】
【課題を解決するための手段】
上記課題を解決するために、本出願の発明者は、断裁のためのレーザによるハーフカットの技術（特開２００２−１０４４３７号公報等）や、偽造防止のためのレーザハーフカットによる目視可能な透かし形成の技術（特開平１０−２３６０００号公報等）により、目視困難に識別管理符号が形成可能であることを見出し、かつ、形成した識別管理符号を画像情報として撮像させることで照合可能とさせることを案出したものである。
【０００８】
すなわち、請求項１の発明では、個別毎に異なる印刷情報および関連する個別対象毎の識別管理符号のデータが格納されている格納手段と、前記格納手段のデータに基づいて、個別毎の印刷情報が印刷されると共に、対応の識別管理符号がレーザ光によるハーフカットで目視困難に形成される被印刷体と、前記被印刷体の少なくとも識別管理符号が形成されている部分に、当該識別管理符号を撮像可能とする通常波長の撮像光を照射して撮像する撮像手段と、前記撮像手段により撮像された撮像データより、前記印刷情報および識別管理符号を認識し、当該識別管理符号に基づいて前記格納手段より対応の印刷情報データを読み出して上記認識した印刷情報と比較照合する照合処理手段と、を有する構成とする。
【０００９】
請求項２の発明では、個別毎に対応する識別管理符号がレーザ光によるハーフカットで目視困難に形成される複数の被丁合体と、前記被丁合体の識別管理符号が形成されている部分に、当該識別管理符号を撮像可能とする通常波長の撮像光を照射して撮像する撮像手段と、対象の前記被丁合体のそれぞれに対して前記撮像手段により撮像された撮像データに基づきそれぞれの識別管理符号を認識し、丁合対象か否かを比較照合する照合処理手段と、を有する構成とする。
【００１０】
請求項３の発明では、前記撮像手段による少なくとも前記識別管理符号の撮像は、前記照射する撮像光の透過量、または撮像光で生じる陰影により行う構成である。
【００１１】
このように、被印刷体の照合対象物に対応の識別管理符号をレーザ光によるハーフカットで目視困難に形成し、当該識別管理符号に通常波長の撮像光を照射して撮像することで得た撮像データより当該識別管理符号を認識し、対応の印刷情報を格納手段より読み出して当該撮像データより認識した印刷情報と比較照合させる。すなわち、識別管理符号をレーザ光によるハーフカットで形成することから、従前のような随時消耗される高価なステルスインキを使用することなく目視困難な当該識別管理符号が照合対象物の意匠を損なわずに形成可能であり、かつ照合時に通常波長の撮像光で撮像可能であることから、印刷された印刷情報と元データとをマッチングを低コストで行うことが可能となるものである。
【００１２】
また、複数の被丁合体の照合対象物に対応の識別管理符号をレーザ光によるハーフカットで目視困難に形成し、それぞれの識別管理符号に通常波長の撮像光を照射して撮像することで得た撮像データより当該識別管理符号を認識し、対応の被丁合体同士を比較照合させる。すなわち、識別管理符号をレーザ光によるハーフカットで形成することから、従前のような随時消耗される高価なステルスインキを使用することなく目視困難な当該識別管理符号が照合対象物の意匠を損なわずに形成可能であり、かつ照合時に通常波長の撮像光で撮像可能であることから、低コストで対応の被丁合体同士をマッチングすることが可能となるものである。
【００１３】
【発明の実施の形態】
以下、本発明の好ましい実施形態を図により説明する。
図１に、本発明に係る照合システムの構成図を示す。図１（Ａ）は照合システムの構成図、図１（Ｂ）は識別管理符号形成の説明図である。なお、本実施形態では照合対象物を帳票として説明するが、ラベル等にも適用することができ、また、照合の対象物は連続状態でも単片状態でも構わない。
【００１４】
図１（Ａ）において、照合システム１１は、後述の識別管理符号が形成された帳票１２に対して撮像を行う撮像カメラ１３および照明部１４Ａ（１４Ｂ）で構成される撮像手段が配置される。そして、照合は照合処理手段１５が行い、当該照合処理手段１５は顧客データベース（ＤＢ）１６にアクセス自在とされる。
【００１５】
上記帳票１２は、図１（Ｂ）に示すように、基体となる用紙３１上の所定位置に顧客名３２、当該顧客に対応した対応情報３３の個別の印刷情報が印刷されると共に、識別管理符号であるＩＤ３４（例えば、管理番号として「１２３４５６７」）がレーザ光によるハーフカット３５で目視困難に形成される。すなわち、ハーフカット３５は、帳票１２の表面および内部が同一色とされることで当該ハーフカット３５部分が目視困難となるものである。これら顧客名３２、対応情報３３およびＩＤ３４は、後述の顧客ＤＢ１６に格納されている個別（顧客）毎の情報に従って印刷、形成されている。
【００１６】
上記撮像カメラ１３は、例えば一般的に使用されているＣＣＤカメラが使用できる。また、帳票１２に対して撮像カメラ１３と対向面に照明部１４Ａが配置されるが、図面上破線で示すように当該撮像カメラ１３と同一面上に照明部１４Ｂを配置してもよい。すなわち、撮像カメラ１３は、照明部１４Ａが帳票１２の対向面に配置される場合にはその照明部１４Ａからの撮像光の透過量の多寡で撮像可能であり、同一面上に照明部１４Ｂが配置される場合には撮像光で生じる陰影により撮像可能であるものである。また、照明部１４Ａ（１４Ｂ）は、通常波長の撮像光を照射するもので、通常波長とは一般に使用される可視光で十分であるという意であり、特定波長を必要としないという意である。
【００１７】
上記照合処理手段１５は、撮像カメラ１３により撮像された撮像データより、印刷情報（顧客名３２、対応情報３３）およびＩＤ３４を認識し、当該ＩＤ３４に基づいて後述の格納手段である顧客ＤＢ１６より対応の印刷情報データを読み出して上記認識した印刷情報と比較照合するもので、照合制御手段２１、バス２２、インタフェース（ＩＦ）２３、撮像データ取得手段２４、照合手段２５および表示手段２６を適宜備える。
【００１８】
上記照合制御手段２１は、このシステムの制御を統括するもので制御プログラムが格納される。上記ＩＦ２３は、少なくとも撮像カメラ１３からの撮像データを入力する。上記撮像データ取得手段２４は、撮像カメラ１３からの撮像データを一旦記憶するもので、照合手段２５による照合処理の作業領域ともなる。上記照合手段２５は、詳細を図２で説明するが、撮像カメラ１３で撮像された撮像データより、印刷情報（顧客名３２、対応情報３３）およびＩＤ３４を認識し、当該ＩＤ３４に基づいて顧客ＤＢ１６より対応の印刷情報データを読み出して上記認識した印刷情報と比較照合する。上記表示手段２６は、適宜設けられるもので、照合手段２５による照合結果を表示する。
【００１９】
そして、上記顧客ＤＢ１６は、個別毎に異なる印刷情報（顧客名３２、対応情報３３）および関連する個別対象毎のＩＤ３４のデータが格納され、当該印刷情報に従って帳票１２に印刷が行われ、当該ＩＤ３４に従ってレーザ光によるハーフカットで目視困難に形成されるもので、その一例を図２に示す。
【００２０】
ここで、図２に、図１の照合処理手段における照合手段および顧客ＤＢの説明図を示す。図２（Ａ）は照合手段２５の一例のブロック構成図であり、図２（Ｂ）は顧客ＤＢ１６に格納されている情報の一例の説明図である。図２（Ａ）において、照合手段２５は、適宜、画像情報認識手段４１、データ読出手段４２および比較照合手段４３を備える。
【００２１】
上記画像情報認識手段４１は、上記撮像データ取得手段２４の作業領域上で、取得した撮像データに基づき、例えば領域分割を行って顧客名３２、対応情報３３およびＩＤ３４のそれぞれの位置を特定し、顧客名３２を認識し、対応情報３３を認識し、そしてＩＤ３４を認識する。上記データ読出手段４２は、認識したＩＤ３４に基づいて顧客ＤＢ１６より対応の顧客名および対応情報を読み出して上記撮像データ取得手段２４の作業領域に一旦記憶する。そして、比較照合手段４３は、認識した顧客名３２および対応情報３３と、顧客ＤＢ１６より読み出した顧客名３２および対応情報３３とを比較照合し、その結果を表示手段で表示させるものである。また、照合手段２５は、適宜、照合結果のログファイルを作成して顧客ＤＢ１６（他の記憶手段でもよい）に格納するものである。
【００２２】
また、図２（Ｂ）において、顧客ＤＢ１６には、一例として総ての顧客に関して、当該顧客に付されたＩＤ、顧客名、印刷データファイル（ファイル名）が格納されると共に、当該印刷データファイルに対応した印刷データ（対応情報３３であって、例えば表面用の第１印刷データ、裏面用の第２印刷データ等）が例えば別個に、または階層的に格納されるものである。
【００２３】
そこで、図３に、本発明に係る照合システムの照合のフローチャートを示す。図３において、まず、画像データ取得手段２４が撮像カメラ１３からの撮像データを取得する（ステップ（Ｓ）１）。そこで、照合手段２５の画像情報認識手段４１が、取得した撮像データに基づき、例えば領域分割を行って顧客名３２、対応情報３３およびＩＤ３４のそれぞれの位置を特定し、顧客名３２を認識し、対応情報３３を認識し、そしてＩＤ３４を認識して特定する（Ｓ２）。
【００２４】
続いて、照合手段２５のデータ読出手段４２が、特定したＩＤ３４に基づいて顧客ＤＢ１６より対応の顧客名および対応情報を読み出す（Ｓ３）。そこで、照合手段２５の比較照合手段４３が、特定した顧客名３２および対応情報３３と、顧客ＤＢ１６より読み出した顧客名３２および対応情報３３とを比較照合する（Ｓ４）。そして、照合結果を表示手段２６で表示させ、適宜、照合結果のログファイルを作成して顧客ＤＢ１６等に格納するものである（Ｓ５）。
【００２５】
このように、帳票１２上にＩＤ３４をレーザ光によるハーフカットで形成することから、従前のような随時消耗される高価なステルスインキを使用することなく目視困難な当該ＩＤ３４の形成を帳票の意匠を損なわずに形成することができ、かつ照合時に照明部１４Ａ（１４Ｂ）による通常波長の撮像光で撮像カメラ１３による撮像ができ、これによって印刷された印刷情報と元データとのマッチングを低コストで行わせることができるようになるものである。
【００２６】
次に、図４に、本発明の照合システムが適用される印刷システムのブロック構成図を示す。図４において、印刷システム５１は、後述の図５で示す第１および第２印刷手段、レーザ照射手段および撮像手段（図１の撮像カメラ１３および照明部１４Ａ）を備え、印刷処理手段５２および上記同様の顧客ＤＢ１６を備える。印刷処理手段５２は、上記照合システム１５を備え、印刷制御手段５３、バス５４、ＩＦ５５、印刷ファイル作成手段５６、第１印刷制御手段５７、レーザ加工データ作成手段５８、レーザ照射制御手段５９および第２印刷制御手段６０を適宜備える。なお、照合システム１５は、図１〜図３と同様であり、説明を省略する。
【００２７】
上記印刷制御手段５３は、このシステムを統括的に制御するもので、そのためのプログラムを格納する。上記ＩＦ５５は、第１および第２印刷手段、レーザ照射手段および撮像手段に対して駆動制御信号を送出すると共に、撮像手段からの撮像データを入力し、また顧客ＤＢ１６より読み出した所定の印刷に関するデータを入力する。上記印刷ファイル作成手段５６は、照合対象の帳票（図５で説明する）に印刷する情報のデータを顧客ＤＢ１６より読み出して印刷のための印刷ファイルを作成する。
【００２８】
上記第１印刷制御手段５７は、第１印刷手段を駆動制御するもので、印刷ファイル作成手段５６で作成された印刷ファイルに基づいて対応の方式により印刷データを送出する。上記レーザ加工データ作成手段５８は、印刷対象の帳票に対応のＩＤ３４を目視困難にハーフカット３５で形成させるための加工データを作成する。上記レーザ照射制御手段５９は、作成された加工データに基づいてレーザ照射手段を駆動制御する。そして、第２印刷制御手段は、第１印刷手段を駆動制御するもので、印刷ファイル作成手段５６で作成された印刷ファイルに基づいて対応の方式による印刷データを送出するものである。
【００２９】
ここで、図５に、図４の印刷システムにおける印刷、照合の説明図を示す。図５（Ａ）において、第１印刷手段６１Ａと、当該第１印刷手段６１Ａ側にレーザ照射手段６２とが配置され、連続帳票６３の一方面（表面とする）に上記印刷情報が印刷され、ＩＤ３４が形成される。上記レーザ照射手段６２は、図面上は加工ヘッドのみが示されているが、レーザ光発生手段およびレーザ光の照射位置を制御する走査手段を備える。
【００３０】
上記連続帳票６３は、搬送手段に応じたマージナル部７１Ａ，７１Ｂがミシン目線等により分離自在に設けられ、対応の顧客毎に断裁させるための断裁線７２が形成される。この断裁線７２で区分けされる領域に、それぞれの顧客毎に対応する印刷情報（図１に例のような顧客名３２、対応情報３３）が第１印刷手段６１Ａによって印刷され、当該顧客に対応して付されたＩＤ３４がレーザ照射手段６２によって形成される。そして、所定の処理工程の後に、これら断裁線７２で断裁されることで図１（Ｂ）に示すような帳票１２となるものである。
【００３１】
また、図５（Ｂ）は、図５（Ａ）で上記印刷情報が印刷されてＩＤ３４が形成された連続帳票６３において、他方面（裏面）に対して一方面（表面）に印刷された顧客に対応する情報を印刷させる場合を示したもので、当該裏面に印刷するための第２印刷手段６１Ｂが配置される。なお、当該裏面に印刷を行わない場合にはこの第２印刷手段６１Ｂ（図４の第２印刷制御手段６０）は不要となる。
【００３２】
上記第２印刷手段６１Ｂの前段であって、表面上方に撮像カメラ１３が配置され、連続帳票６３を挟んでその下方に照明部１４Ａが配置される。なお、撮像カメラ１３と同じ側に照明部１４Ｂを配置させる場合には、連続帳票６３を挟んでその下方に上記第２印刷手段６１Ｂを配置させてもよい。
【００３３】
そこで、図６に、図４の印刷システムにおける印刷、照合のフローチャートを示す。図６（Ａ）は図５（Ａ）に対応した印刷処理のフローチャートであり、図６（Ｂ）は図５（Ｂ）に対応した照合処理および印刷処理のフローチャートである。図６（Ａ）において、まず、印刷処理手段５２の印刷ファイル作成手段５６が上記連続帳票６３の一方面（表面）に印刷する第１印刷データを顧客ＤＢ１６より取得する（Ｓ１１）。
【００３４】
上記印刷ファイル作成手段５６は、取得した第１印刷データに基づいて第１の印刷ファイルを作成して第１印刷手段６１Ａに送出し、上記連続帳票６３の一方面上に上記顧客名３２および対応情報３３の印刷情報を順次印刷させる（Ｓ１２）。また、レーザ加工データ作成手段５８において、顧客ＤＢ１６より取得した第１印刷データのうち、対応顧客のＩＤ３４を抜き出してレーザ加工データを作成し（Ｓ１３）、レーザ照射手段６２がレーザ加工データに基づいてレーザ照射手段６２を制御駆動する（Ｓ１４）。このレーザ加工データ（ＩＤデータ）により連続帳票６３の一方面の対応位置にハーフカット加工することにより、図１（Ｂ）に示すような目視困難なＩＤ３４が形成されるものである。
【００３５】
一方、図６（Ｂ）において、図６（Ａ）で一方面に印刷情報（顧客名３２および対応情報３３）が形成された連続帳票６３に対して撮像カメラ１３で撮像させ、当該撮像カメラ１３からの撮像データを取得する（Ｓ２１）。そこで、照合システム１５において、取得した撮像データに基づき、例えば領域分割を行って顧客名３２、対応情報３３およびＩＤ３４のそれぞれの位置を特定し、顧客名３２を認識し、対応情報３３を認識し、そしてＩＤ３４を認識して特定する（Ｓ２２）。
【００３６】
続いて、特定したＩＤ３４に基づいて顧客ＤＢ１６より対応の顧客名および対応情報を読み出す（Ｓ２３）。そこで、特定した顧客名３２および対応情報３３と、顧客ＤＢ１６より読み出した顧客名および対応情報とを比較照合する（Ｓ２４）。比較照合の結果（Ｓ２４）、一致していれば印刷ファイル作成手段５６が特定したＩＤ３４に基づいて顧客ＤＢ１６より他方面（裏面）用の第２印刷データを取得し、印刷ファイルを作成して第２印刷手段６１Ｂに送出することにより、当該連続帳票６３の裏面に対応した印刷情報を印刷させるものである。そして、比較照合の結果（Ｓ２５）、不一致であれば、その旨を適宜、表示手段（２６）で表示させ、照合結果のログファイルを作成して顧客ＤＢ１６等に格納するものである（Ｓ２７）。
【００３７】
このように、連続帳票６３（帳票１２）上に対応顧客のＩＤ３４をレーザ光によるハーフカットで形成することから、従前のような随時消耗される高価なステルスインキを使用することなく目視困難な当該ＩＤ３４の形成を帳票の意匠を損なわずに形成することができ、かつ照合時に照明部１４Ａ（１４Ｂ）による通常波長の撮像光で撮像カメラ１３による撮像ができ、これによって印刷された印刷情報と元データとのマッチングを低コストで行わせることができるようになると共に、照合後に対応の印刷情報を他方面（裏面）にも印刷させる場合においても、一方面（表面）の印刷情報とのマッチングが図られるものである。
【００３８】
次に、図７に、本発明の照合システムが適用される丁合システムの概略図を示す。図７に示す丁合システム８１は、例えば製本システムや封入封緘システムに適用されるものとして示している。図７において、丁合システム８１は、丁合搬送手段８２と、丁合帳票供給手段８３と備え、丁合搬送手段８２上の丁合位置の上方に撮像カメラ１３および照明部１４Ｂで構成される撮像手段が配置される。そして、少なくとも丁合時の照合を行う照合処理手段８６が、上記撮像カメラ１３よりの撮像データが取得可能に備えられるものである。なお、撮像カメラ１３に対して第１および第２の帳票８４，８５を挟んで対向面（丁合搬送手段８２の内部）に照明部１４Ａを配置してもよい。
【００３９】
上記丁合帳票供給手段８３には、被丁合体である枚葉の第１の帳票（連続帳票より枚葉としたものでもよい）８４が所定数積み重ねられて枚葉毎に丁合搬送手段８２に供給され、被丁合体である枚葉の第２の帳票（連続帳票より枚葉としたものでもよい）８５が所定数積み重ねられて枚葉毎に丁合搬送手段８２上の第１の帳票８４上に供給されて丁合される。上記第１および第２の帳票８４，８５には、それぞれ対応した印刷情報が印刷され（図示せず）、それぞれに対応のＩＤ３４Ａ，３４Ｂがレーザ光によるハーフカット（３５）で目視困難に形成されている。
【００４０】
上記丁合システム８１は、丁合帳票供給手段８３より第１の帳票８４が丁合搬送手段８２に供給され、当該第１の帳票８４が丁合位置に搬送される。一方、丁合帳票供給手段８３より第２の帳票８５が丁合搬送手段８２上の第１の帳票８４上に供給される。このとき、照明部１４Ｂによる通常波長の撮像光の照射により撮像カメラ１３で当該ＩＤ３４Ａ，３４Ｂをその陰影で撮像し、その撮像データを照合処理手段８６に送出する。
【００４１】
そして、照合処理手段８６において、互いのＩＤ３４Ａ，３４Ｂを認識、特定し、互いに一致しているか否かを照合する。照合の結果として、一致していれば重ね合わされて丁合された第１および第２の帳票８４，８５を丁合搬送手段８２が次工程に搬送し、一致していなければ、適宜、搬送、供給を停止して表示手段に表示させるものである。
【００４２】
このように、製本システムや封入封緘システム等で使用される丁合システム８１においても、丁合対象の各帳票にレーザ光によるハーフカットで目視困難にＩＤ３４等の識別管理符号を形成させ、撮像カメラ１３、照明部１４Ｂおよび照合処理手段８６を含んで構成される照合システムで照合させることによっても、上記同様に、従前のような随時消耗される高価なステルスインキを使用することなく目視困難なＩＤ３４Ａ，３４Ｂを各丁合帳票の意匠を損なわずに形成することができ、かつ照合時に通常波長の撮像光で撮像できることから、低コストで対応の被丁合体同士をマッチングすることができるものである。
【００４３】
【発明の効果】
以上のように、請求項１の発明によれば、被印刷体の照合対象物に対応の識別管理符号をレーザ光によるハーフカットで目視困難に形成し、当該識別管理符号に通常波長の撮像光を照射して撮像することで得た撮像データより当該識別管理符号を認識し、対応の印刷情報を格納手段より読み出して当該撮像データより認識した印刷情報と比較照合させることにより、従前のような随時消耗される高価なステルスインキを使用することなく目視困難な識別管理符号が照合対象物の意匠を損なわずに形成することができ、かつ照合時に通常波長の撮像光で撮像できることから、低コストで印刷された印刷情報と元データとをマッチングすることができるものである。
【００４４】
請求項２の発明によれば、複数の被丁合体の照合対象物に対応の識別管理符号をレーザ光によるハーフカットで目視困難に形成し、それぞれの識別管理符号に通常波長の撮像光を照射して撮像することで得た撮像データより当該識別管理符号を認識し、対応の被丁合体同士を比較照合させることにより、上記同様に、従前のような随時消耗される高価なステルスインキを使用することなく目視困難な識別管理符号が照合対象物の意匠を損なわずに形成することができ、かつ照合時に通常波長の撮像光で撮像できることから、低コストで対応の被丁合体同士をマッチングすることができるものである。
【００４５】
請求項３の発明によれば、撮像光の照射による撮像を、透過量、または撮像光で生じる陰影で行わせることにより、照合対象物にレーザ光によるハーフカットで目視困難に形成しても通常波長の照射光で識別管理符号を撮像し、認識させることができるものである。
【図面の簡単な説明】
【図１】本発明に係る照合システムの構成図である。
【図２】図１の照合処理手段における照合手段および顧客ＤＢの説明図である。
【図３】本発明に係る照合システムの照合のフローチャートである。
【図４】本発明の照合システムが適用される印刷システムのブロック構成図である。
【図５】図４の印刷システムにおける印刷、照合の説明図である。
【図６】図４の印刷システムにおける印刷、照合のフローチャートである。
【図７】本発明の照合システムが適用される丁合システムの概略図である。
【符号の説明】
１１　　　　　　照合システム
１２　　　　　　帳票
１３　　　　　　撮像カメラ
１４　　　　　　照明部
１５，８６　　　照合処理手段
１６　　　　　　顧客データベース（ＤＢ）
３１　　　　　　用紙
３２　　　　　　顧客名
３３　　　　　　対応情報
３４　　　　　　ＩＤ
３５　　　　　　ハーフカット
５１　　　　　　印刷システム
８１　　　　　　丁合システム
８４　　　　　　第１の帳票
８５　　　　　　第２の帳票
【図１】
2004114567.tif 000003
【図２】
2004114567.tif 000004
【図３】
2004114567.tif 000005
【図４】
2004114567.tif 000006
【図５】
2004114567.tif 000007
【図６】
2004114567.tif 000008
【図７】
2004114567.tif 000009